(57)【要約】      （修正有）【課題】運搬時に、空間を占拠せず、展開が可能で、構成素子のコストを減少させ、組立が容易である一体成型の引き出し構造を提供する。【解決手段】底板周辺に一体成型したパネル、囲み板を有し、パネル、囲み板と底板間に、連結折線を有し、パネル、囲み板と底板は、垂直湾折形態を形成する。また、パネルの側端辺に結合体を有し、囲み板の側端辺に結合孔を有し、これにより、結合体を結合孔に結合して、引き出しを組み立てる。【選択図】図１
0003115836.tif 000002
【実用新案登録請求の範囲】
【請求項１】
一体成型の引き出し構造であって、机に使用し、
前記引き出しは、底板周辺に、一体成型するパネル、囲み板を設け、前記囲み板は、前記底板との間に、連結折線を有し、前記パネル、前記囲み板、前記底板は、垂直湾折形態を形成し、また、前記パネルの側端辺に、結合体を有し、前記囲み板の側端辺に結合孔を有し、これにより、前記パネルの結合体を、前記囲み板の結合孔内に結合して、引き出しの組み合わせ構造を得ることを特徴とする一体成型の引き出し構造。
【請求項２】
引き出し周辺のパネル、囲み板は、三片、四片構造形態であることを特徴とする請求項１に記載の一体成型の引き出し構造。
【請求項３】
前記結合体と前記結合孔は、複数の形態であることを特徴とする請求項１に記載の一体成型の引き出し構造。
【請求項４】
前記結合体は、円柱、フック形態であることを特徴とする請求項１に記載の一体成型の引き出し構造。
【請求項５】
前記囲み板の一側に、凸部、或いは、凹槽を有することを特徴とする請求項１に記載の一体成型の引き出し構造。
【請求項６】
前記凸部は、鎖固素子により鎖固することを特徴とする請求項１に記載の一体成型の引き出し構造。
【請求項７】
前記囲み板は、鎖固素子により鎖固することを特徴とする請求項１に記載の一体成型の引き出し構造。
【請求項８】
前記パネル前側は、握部を有することを特徴とする請求項１に記載の一体成型の引き出し構造。
【考案の詳細な説明】
【技術分野】
【０００１】
本考案は、一体成型の引き出し構造に関するものであって、特に、引き出しは、底板周辺に、パネル、囲み板を設け、パネルにより、囲み板を結合して、一体成型する引き出し構造に関するものである。
【背景技術】
【０００２】
引き出しは、一般に、机やクローゼットに使用され、公知の引き出しは、参考１の台湾特許申請番号第９１２１５４８９号の簡易式引き出し構造で示されるように、箱体からなり、その周縁の適所に、係合部を設け、トラックの底端に、折合板を設置する。折合板は、トラックの第一端に連接され、トラックの開放端に相対する。箱体が装設される時、トラック底端に沿って、折合板を超過し、引き出したい時、折合板の第二端の制止を受ける。しかし、公知の簡易式引き出しは、使用時に、以下のような欠点がある。
【０００３】
公知の簡易式引き出しは、使用時、引き出し（即ち、箱体）が固定連結形態であるので、運搬時に、空間を占有し、運送コストが高い。
【０００４】
上述の問題を改善するような、解体可能で空間を占有しない引き出し構造が提供され、台湾特許申請番号第９２２０１２５０号で示されるように、両側板、両側板の一端に接設される前板、両側板のもう一端と鎖固される第一固定素子、及び、第一固定素子と調整可能で鎖固されるヘッド、からなる。その特徴は、両側板に、その長さ方向に沿って、連続した鎖固構造を有し、長さに応じて裁断し、両側板の鎖固構造を保持するものである。しかし、この公知の引き出しは、実際の使用時に、以下のような欠点がある。
【０００５】
この引き出し構造は、構成素子が多く、複雑であるので、製造コストが高く、組み立ての便利性が向上されず、産業利用価値に欠ける。
【特許文献１】台湾特許申請番号第９１２１５４８９号
【特許文献２】台湾特許申請番号第９２２０１２５０号
【考案の開示】
【考案が解決しようとする課題】
【０００６】
本考案は、運搬時に、空間を占拠せず、また、展開が可能な引き出し構造を提供し、構成素子のコストを減少させ、組み立てが困難であるという公知の問題を解決することを目的とする。
【課題を解決するための手段】
【０００７】
上述の目的を達成するため、本考案の一体成型の引き出し構造は、引き出しは、底板周辺に一体成型するパネル、囲み板を設け、囲み板は、底板との間に、連結折線を有し、パネル、囲み板、底板は、垂直湾折形態を形成する。また、パネルの側端辺に結合体を有し、囲み板の側端辺に結合孔を有し、これにより、パネルの結合体を、囲み板の結合孔内に結合して、引き出しの組み合わせ構造を得る。
【考案の効果】
【０００８】
本考案の構造により、運搬時に、空間を占拠せず、また、構成素子のコストを減少させ、組み立てが困難であるという公知の問題を解決することが可能である。
【考案を実施するための最良の形態】
【０００９】
図１、及び、図２は、本考案の展開図、組み合わせ外観図である。一体成型の引き出し、及び、その組み合わせ構造は、机に応用し、主に、引き出し１０は、底板１１周辺に一体成型されたパネル１２、囲み板１３、からなる。引き出し１０周辺は、四片を呈し、パネル１２、囲み板１３は、底板１１間に、連結折線１４を設け、パネル１２、囲み板１３と底板１１は、垂直湾折形態を形成する。且つ、パネル１２前側は、握部１２２を設置する。また、パネル１２の側端辺は、結合体１２１を有し、結合体１２１は円柱形態である。囲み板１３の側端辺は、結合孔１３１を有し、図２−１で示されるように、パネル１２の側端辺の結合体１２１と結合させ、引き出しの組み合わせ構造を完成させる。
【００１０】
図３は、本考案のもう一つの実施例による展開図で、パネル１２が囲み板１３に結合される時、パネル１２の結合体１２１は円柱形態で、パネル１２の結合体１２１と囲み板１３の結合孔１３１の対応には、複数の形態がある。
【００１１】
図４、及び、図５は、本考案のもう一つの実施例による展開図、組み合わせ外観図である。パネル１２が囲み板１３に結合される時、パネル１２の結合体１２１はフックで、パネル１２の結合体１２１と囲み板１３の結合孔１３１は、図５−１で示されるように、対応して組み合わされ、もう一つの引き出しの組み合わせ構造を完成させる。
【００１２】
図６、及び、図７は、本考案の使用状態の参考図で、引き出し１０が机２０に組設される時、引き出し１０の囲み板１３は、凸部１３２、或いは、スロット１３３を設置し、引き出し１０を机２０内に組設する。
【００１３】
図８、及び、図９は、本考案のもう一つの実施例による組み合わせ外観図である。引き出し１０のパネル１２、囲み板１３は、三片形態で、パネル１２の結合体１２１は、図８−１で示されるような円柱形態、図９−１で示されるようなフック形態で、これにより、パネル１２の結合体１２１と囲み板１３の結合孔１３１は、対応して組み合わされる。
【００１４】
図１１は、本考案の使用状態の参考図で、引き出し１０は、鎖固素子３０により、直接、机２０下方に鎖固することが出来る。
【００１５】
上述の構成素子により、本考案の構造は、使用時に、以下のような長所を有する。
【００１６】
本考案の引き出し１０は、周辺に一体成型するパネル１２と囲み板１３を有し、パネル１２の結合体１２１と囲み板１３の結合孔１３１により、引き出し１０に組み合わせる。これにより、構成素子のコストを抑制し、簡易式組み立てを提供し、且つ、展開すると平坦状態であるので、空間を占有しないことから、運搬コストが減少し、産業価値が大幅に増加する。
【００１７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１８】
【図１】本考案の展開図である。
【図２】図１の組み合わせ外観図である。
【図３】本考案のもう一つの実施例の展開図である。
【図４】本考案の更にもう一つの実施例の展開図である。
【図５】図４の組み合わせ外観図である。
【図６】本考案の使用状態参考図である。
【図７】本考案の使用状態参考図である。
【図８】本考案のもう一つの実施例の組み合わせ外観図である。
【図９】本考案の更にもう一つの実施例の組み合わせ外観図である。
【図１０】本考案の使用状態参考図である。
【図１１】本考案の使用状態参考図である。
【符号の説明】
【００１９】
１０…引き出し
１１…底板
１２…パネル
１２１…結合体
１２２…握部
１３…囲み板
１３１…結合孔
１３２…凸部
１３３…トラック
１４…連結折線
２０…机
３０…鎖固素子
【図１】
0003115836.tif 000003
【図２】
0003115836.tif 000004
【図３】
0003115836.tif 000005
【図４】
0003115836.tif 000006
【図５】
0003115836.tif 000007
【図６】
0003115836.tif 000008
【図７】
0003115836.tif 000009
【図８】
0003115836.tif 000010
【図９】
0003115836.tif 000011
【図１０】
0003115836.tif 000012
【図１１】
0003115836.tif 000013